(57)【要約】【課題】隠しカメラの探知機能を有する携帯電話ケースを提供する。【解決手段】携帯電話ケースは、片面が携帯電話の表示部を除いた部分を囲むように形成され、携帯電話のＬＥＤ光源及びカメラと対応する位置に開口部が形成されたケース本体と、６００ｎｍ乃至７００ｎｍの範囲の波長帯域の赤色波長の光を通過させる赤色フィルタを含む探知部と、一端が探知部に結合され、他端がケース本体の他面に突出し、探知部が上下又は左右方向に移動可能なようにする作動部とを含み、作動部により探知部は開口部を覆うか開放することを特徴とする。【選択図】図１
2020081861.tif 000002
【特許請求の範囲】
【請求項１】
片面が携帯電話の表示部を除いた部分を囲むように形成され、携帯電話のＬＥＤ光源及びカメラと対応する位置に開口部が形成されたケース本体と、
６００ｎｍ乃至７００ｎｍの範囲の波長帯域の赤色波長の光を通過させる赤色フィルタを含む探知部と、
一端が前記探知部に結合され、他端が前記ケース本体の他面に突出し、前記探知部が上下又は左右方向に移動可能なようにする作動部とを含み、
前記作動部により前記探知部は前記開口部を覆うか開放することを特徴とする携帯電話ケース。
【請求項２】
前記探知部は、前記赤色フィルタの片面に結合され、０．５ｍｍ乃至０．８ｍｍの範囲の厚さを有し、透明な素材で形成された支持部をさらに含むことを特徴とする請求項１に記載の携帯電話ケース。
【請求項３】
前記赤色フィルタは、前記携帯電話の前記ＬＥＤ光源から発散された光のうち、相対的に６００ｎｍ乃至７００ｎｍの範囲の波長帯域の赤色波長の光をさらに多く透過することを特徴とする請求項１又は２に記載の携帯電話ケース。
【請求項４】
前記ケース本体は、前記携帯電話の表示部の裏面をカバーする片面と、前記片面から延びて、前記携帯電話の表示部の周辺部を包み、前記携帯電話に結合が可能なようにする枠部と、前記片面で前記携帯電話のＬＥＤ光源及びカメラと対応する位置に形成され、前記ＬＥＤ光源及びカメラの断面を全てカバーする開口部と、前記作動部の一部が外部に突出しながら、上下又は左右に移動可能なように開口されて形成されたガイドラインとを含み、
前記作動部の一部を前記ガイドラインの上下又は左右方向に移動する場合、前記探知部も上下又は左右方向に移動し、前記開口部を覆うか、又は覆わないことを特徴とする請求項１〜３のいずれか１に記載の携帯電話ケース。
【請求項５】
前記ケース本体は、前記携帯電話が結合される片面に形成され、前記探知部の少なくとも一部を収容する第１収容部を含み、
前記探知部の少なくとも一部は、前記第１収容部と前記ケース本体の片面との間に介在しながら収容されることを特徴とする請求項４に記載の携帯電話ケース。
【請求項６】
前記第１収容部は、前記開口部が形成された方向の反対方向の両末端の位置で前記ケース本体の片面が形成する水平面方向に開口されて形成された第１破損防止部をさらに含むことを特徴とする請求項５に記載の携帯電話ケース。
【請求項７】
前記第１破損防止部は、前記ケース本体の片面が形成する水平面方向に対して垂直な方向にも開口されることを特徴とする請求項６に記載の携帯電話ケース。
【請求項８】
前記第１収容部は、前記第１破損防止部が形成する開口の一端から他端に延びて形成され、前記ケース本体の片面と接する第１支持ラインをさらに含み、
前記第１支持ラインは、前記第１破損防止部が形成されない前記第１収容部の高さに対してさらに低い高さを有し、
前記探知部が前記第１収容部に収容されるとき、前記探知部の一部は、前記第１支持ラインの上側に位置することを特徴とする請求項７に記載の携帯電話ケース。
【請求項９】
前記ケース本体の片面で内側に陥没して形成される第１凹部をさらに含み、
前記第１凹部は、前記探知部が前記第１収容部に収容されるとき、前記探知部の少なくとも一部と垂直線上で重なることを特徴とする請求項６〜８のいずれか１に記載の携帯電話ケース。
【請求項１０】
前記ケース本体の片面から突出して形成され、弾性部材で形成される少なくとも一つ以上の第１緩衝部をさらに含み、
前記第１緩衝部は、前記探知部が前記第１収容部に収容されるとき、前記探知部の少なくとも一部と接触することを特徴とする請求項６〜８のいずれか１に記載の携帯電話ケース。
【請求項１１】
前記ケース本体は、前記携帯電話が結合される片面に形成され、前記探知部の少なくとも一部を収容する第２収容部を含み、
前記探知部の少なくとも一部は、前記第２収容部と前記ケース本体の片面との間に介在しながら収容されることを特徴とし、
前記探知部は、前記開口部を覆う場合、前記第２収容部に少なくとも一部が収容されることを特徴とする請求項４〜１０のいずれか１に記載の携帯電話ケース。
【請求項１２】
前記第２収容部は、前記開口部が形成された方向の反対方向の両末端の位置で前記ケース本体の片面が形成する水平面方向に開口されて形成された第２破損防止部をさらに含むことを特徴とする請求項１１に記載の携帯電話ケース。
【請求項１３】
前記第２破損防止部は、前記ケース本体の片面が形成する水平面方向に対して垂直な方向にも開口されることを特徴とする請求項１２に記載の携帯電話ケース。
【請求項１４】
前記第２収容部は、前記第２破損防止部が形成する開口の一端から他端に延びて形成され、前記ケース本体の片面と接する第２支持ラインをさらに含み、
前記第２支持ラインは、前記第２破損防止部が形成されない前記第２収容部の高さに対してさらに低い高さを有し、
前記探知部が前記第２収容部に収容されるとき、前記探知部の一部は、前記第２支持ラインの上側に位置することを特徴とする請求項１３に記載の携帯電話ケース。
【請求項１５】
前記ケース本体の片面で内側に陥没して形成される第２凹部をさらに含み、
前記第２凹部は、前記探知部が前記第２収容部に収容されるとき、前記探知部の少なくとも一部と垂直線上で重なることを特徴とする請求項１１〜１４のいずれか１に記載の携帯電話ケース。
【請求項１６】
前記ケース本体の片面から突出して形成され、弾性部材で形成される少なくとも一つ以上の第２緩衝部をさらに含み、
前記第２緩衝部は、前記探知部が前記第２収容部に収容されるとき、前記探知部の少なくとも一部と接触することを特徴とする請求項１１〜１４のいずれか１に記載の携帯電話ケース。
【請求項１７】
前記作動部の一部及び前記探知部の一部と結合するカバー部をさらに含み、
前記カバー部は、前記探知部が前記開口部を覆う場合、前記ガイドラインを全て覆うことを特徴とする請求項５〜１６のいずれか１に記載の携帯電話ケース。
【請求項１８】
前記ケース本体の片面から突出して形成されるストッパーをさらに含み、
前記ストッパーは、前記探知部が前記第１収容部に収容されるとき、前記カバー部と接触によって前記探知部の移動を中断することを特徴とする請求項１７に記載の携帯電話ケース。
【請求項１９】
前記作動部の一部及び前記探知部の一部と結合するカバー部をさらに含み、
前記第１収容部は開口され、前記カバー部が貫通するようにする貫通部を含み、
前記カバー部は、前記探知部が前記開口部を覆う場合、前記ガイドラインを全て覆うことを特徴とする請求項５〜１８のいずれか１に記載の携帯電話ケース。
【請求項２０】
前記探知部は、前記赤色フィルタと前記支持部を互いに対向する両末端で結束する締結部をさらに含むことを特徴とする請求項２〜１６のいずれか１に記載の携帯電話ケース。
【請求項２１】
前記探知部は、携帯電話と隣接する位置に内側に陥没して形成された反射防止部をさらに含み、
前記反射防止部は、携帯電話のＬＥＤ光源と対応する位置に形成されることを特徴とする請求項１〜２０の何れか１に記載の携帯電話ケース。
【請求項２２】
前記反射防止部は、垂直線上で前記ＬＥＤ光源の水平断面を全てカバーすることを特徴とする請求項２１に記載の携帯電話ケース。
【請求項２３】
前記反射防止部は、前記携帯電話の前記カメラとは垂直線上で水平断面が互いに重ならないことを特徴とする請求項２２に記載の携帯電話ケース。
【請求項２４】
前記反射防止部は、陥没した内側壁に光を吸収する素材で形成された吸光部をさらに含むことを特徴とする請求項２１〜２３のいずれか１に記載の携帯電話ケース。
【発明の詳細な説明】
【技術分野】
【０００１】
本発明は、隠しカメラを探知することができる携帯電話ケースに関する。
【背景技術】
【０００２】
最近、モバイルデバイス、カメラ等の電子機器の性能がますます発展するにつれて、大きさは次第に小さくなるとともに、その性能が非常に向上した電子機器の製品が発売されている。消費者のニーズに応じて、ますます小型化しながら、従来と同じ性能を発揮するか、従来に比べてより良い性能を発揮する電子機器が発売されているが、その中で、カメラもまた性能が良くなり、小型化しており、小型化を超えて目につかないように超小型化している傾向にある。但し、このようなカメラが本来の目的を超えて、他人のプライバシーや身体等をこっそり撮影する等の方式で使用され、一種の隠しカメラとして使用される事例が増加しており、これは社会的に大きな問題になっている。
【０００３】
従って、最近では、隠しカメラを探知することができる装置が開発されているが、このような隠しカメラ探知装置は、その体積が非常に大きいか、高価の装備を購入するか、別の装備を購入して設置する等の方式であるため、消費者が購入に負担を感じたり、別々に持ち歩かなければならないという不便さがあったり、その体積が大きいため、携帯用に使用するには不便さがあった。
【０００４】
そのため、ユーザが携帯及び使用が便利でありながらも、隠しカメラを探知することができる製品に対する研究が必要であることが実情である。
【先行技術文献】
【特許文献】
【０００５】
【特許文献１】韓国登録特許第１０−０７２６４２０号
【発明の概要】
【発明が解決しようとする課題】
【０００６】
本発明が解決しようとする課題は、携帯が簡便で、且つ安価な価格で隠しカメラを探知することができるようにする携帯電話ケースを提供することにある。
【０００７】
また、携帯及び使用が簡便であるとともに、破損を最小化し、耐久性に優れた携帯電話ケースを提供することにある。
【０００８】
本発明の課題は、以上で言及した技術的課題に制限されず、言及しないまた別の技術的課題は、以下の記載から当業者に明確に理解されるべきである。
【課題を解決するための手段】
【０００９】
前記課題を解決するための本発明の一実施例に係る携帯電話ケースは、片面が携帯電話の表示部を除いた部分を囲むように形成され、携帯電話のＬＥＤ光源及びカメラと対応する位置に開口部が形成されたケース本体と、６００ｎｍ乃至７００ｎｍの範囲の波長帯域の赤色波長の光を通過させる赤色フィルタを含む探知部と、一端が前記探知部に結合され、他端が前記ケース本体の他面に突出し、前記探知部が上下又は左右方向に移動可能なようにする作動部とを含み、前記作動部により前記探知部は前記開口部を覆うか開放することを特徴とする。
【００１０】
また、前記探知部は、前記赤色フィルタの片面に結合され、０．５ｍｍ乃至０．８ｍｍの範囲の厚さを有し、透明な素材で形成された支持部をさらに含むことを特徴とすることができる。
【００１１】
また、 前記赤色フィルタは、前記携帯電話の前記ＬＥＤ光源から発散された光のうち、相対的に６００ｎｍ乃至７００ｎｍの範囲の波長帯域の赤色波長の光をさらに多く透過することを特徴とする。
【００１２】
また、前記ケース本体は、前記携帯電話の表示部の裏面をカバーする片面と、前記片面から延びて、前記携帯電話の表示部の周辺部を包み、前記携帯電話に結合が可能なようにする枠部と、前記片面で前記携帯電話のＬＥＤ光源及びカメラと対応する位置に形成され、前記ＬＥＤ光源及びカメラの断面を全てカバーする開口部と、前記作動部の一部が外部に突出しながら、上下又は左右に移動可能なように開口されて形成されたガイドラインとを含み、前記作動部の一部を前記ガイドラインの上下又は左右方向に移動する場合、前記探知部も上下又は左右方向に移動し、前記開口部を覆うか、又は覆わないことを特徴とする。
【００１３】
また、前記ケース本体は、前記携帯電話が結合される片面に形成され、前記探知部の少なくとも一部を収容する第１収容部を含み、前記探知部の少なくとも一部は、前記第１収容部と前記ケース本体の片面との間に介在しながら収容されることを特徴とする。
【００１４】
また、前記第１収容部は、前記開口部が形成された方向の反対方向の両末端の位置で前記ケース本体の片面が形成する水平面方向に開口されて形成された第１破損防止部をさらに含むことを特徴とする。
【００１５】
また、前記第１破損防止部は、前記ケース本体の片面が形成する水平面方向に対して垂直な方向にも開口されることを特徴とする。
【００１６】
また、前記第１収容部は、前記第１破損防止部が形成する開口の一端から他端に延びて形成され、前記ケース本体の片面と接する第１支持ラインをさらに含み、前記第１支持ラインは、前記第１破損防止部が形成されない前記第１収容部の高さに対してさらに低い高さを有し、前記探知部が前記第１収容部に収容されるとき、前記探知部は、前記第１支持ラインの上側に位置することを特徴とする。
【００１７】
また、前記ケース本体の片面で内側に陥没して形成される第１凹部をさらに含み、前記第１凹部は、前記探知部が前記第１収容部に収容されるとき、前記探知部の少なくとも一部と垂直線上で重なることを特徴とする。
【００１８】
また、前記ケース本体の片面から突出して形成され、弾性部材で形成される少なくとも一つ以上の第１緩衝部をさらに含み、前記第１緩衝部は、前記探知部が前記第１収容部に収容されるとき、前記探知部の少なくとも一部と接触することを特徴とする。
【００１９】
また、前記ケース本体は、前記携帯電話が結合される片面に形成され、前記探知部の少なくとも一部を収容する第２収容部を含み、前記探知部の少なくとも一部は、前記第２収容部と前記ケース本体の片面との間に介在しながら収容されることを特徴とし、前記探知部は、前記開口部を覆う場合、前記第２収容部に少なくとも一部が収容されることを特徴とする。
【００２０】
また、前記第２収容部は、前記開口部が形成された方向の反対方向の両末端の位置で前記ケース本体の片面が形成する水平面方向に開口されて形成された第２破損防止部をさらに含むことを特徴とする。
【００２１】
また、前記第２破損防止部は、前記ケース本体の片面が形成する水平面方向に対して垂直な方向にも開口されることを特徴とする。
【００２２】
また、前記第２収容部は、前記第２破損防止部が形成する開口の一端から他端に延びて形成され、前記ケース本体の片面と接する第２支持ラインをさらに含み、前記第２支持ラインは、前記第２破損防止部が形成されない前記第２収容部の高さに対してさらに低い高さを有し、前記探知部が前記第２収容部に収容されるとき、前記探知部は、前記第２支持ラインの上側に位置することを特徴とする。
【００２３】
また、前記ケース本体の片面で内側に陥没して形成される第２凹部をさらに含み、前記第２凹部は、前記探知部が前記第２収容部に収容されるとき、前記探知部の少なくとも一部と垂直線上で重なることを特徴とする。
【００２４】
また、前記ケース本体の片面から突出して形成され、弾性部材で形成される少なくとも一つ以上の第２緩衝部をさらに含み、前記第２緩衝部は、前記探知部が前記第２収容部に収容されるとき、前記探知部の少なくとも一部と接触することを特徴とする。
【００２５】
また、前記作動部の一部及び前記探知部の一部と結合するカバー部をさらに含み、前記カバー部は、前記探知部が前記開口部を覆う場合、前記ガイドラインを全て覆うことを特徴とする。
【００２６】
また、前記ケース本体の片面から突出して形成されるストッパーをさらに含み、前記ストッパーは、前記探知部が前記第１収容部に収容されるとき、前記カバー部と接触によって前記探知部の移動を中断することを特徴とする。
【００２７】
また、前記作動部の一部及び前記探知部の一部と結合するカバー部をさらに含み、前記第１収容部は開口され、前記カバー部が貫通するようにする貫通部を含み、前記カバー部は、前記探知部が前記開口部を覆う場合、前記ガイドラインを全て覆うことを特徴とする。
【００２８】
また、前記探知部は、前記赤色フィルタと前記支持部を互いに対向する両末端で結束する締結部をさらに含むことを特徴とする。
【００２９】
また、前記探知部は、携帯電話と隣接する位置に内側に陥没して形成された反射防止部をさらに含み、前記反射防止部は、携帯電話のＬＥＤ光源と対応する位置に形成されることを特徴とする。
【００３０】
また、前記反射防止部は、垂直線上で前記ＬＥＤ光源の水平断面を全てカバーすることを特徴とする。
【００３１】
また、前記反射防止部は、前記携帯電話の前記カメラとは垂直線上で水平断面が互いに重ならないことを特徴とする。
【００３２】
また、前記反射防止部は、陥没した内側壁に光を吸収する素材で形成された吸光部をさらに含むことを特徴とする。
【００３３】
その他の実施例の具体的な事項は、詳細な説明及び図に含まれている。
【発明の効果】
【００３４】
本発明の実施例に係ると、少なくとも次のような効果がある。
【００３５】
本発明に係る携帯電話ケースは、携帯が簡便でありながらも、安価な価格で購入でき、使用が便利であるように隠しカメラを探知することができる。
【００３６】
また、本発明に係る携帯電話ケースは、普段は使用せずに、隠しカメラを探知する時のみ一部構成の位置を変形して使用し、隠しカメラ探知機能を行うようにすることで、携帯性を高めながらも、隠しカメラ探知機能を行うことができる。
【００３７】
また、本発明に係る携帯電話ケースは、前記のような機能を行うと共に、耐久性に優れて、長時間の使用が可能である。
【００３８】
本発明に係る効果は、以上で例示された内容によって制限されず、さらに多様な効果が本明細書内に含まれている。
【図面の簡単な説明】
【００３９】
【図１】本発明の一実施例に係る携帯電話ケースの探知部を上げた場合の概略的な前面斜視図である。
【図２】本発明の一実施例に係る携帯電話ケースの探知部を上げた場合の概略的な後面斜視図である。
【図３】本発明の一実施例に係る携帯電話ケースの探知部を上げた場合の正面図である。
【図４】本発明の一実施例に係る携帯電話ケースの探知部を下げた場合の前面斜視図である。
【図５】図１の携帯電話ケースの一実施例に係る探知部をより詳細に示した斜視図である。
【図６】図１の携帯電話ケースの別の実施例に係る探知部をより詳細に示した斜視図である。
【図７】図６の探知部をＡ−Ａ’に沿って切断した断面図である。
【図８】図６の探知部をＢ−Ｂ’に沿って切断した断面図である。
【図９】本発明のまた別の実施例に係る探知部を図８と同じ部分を切断して示した断面図である。
【図１０】本発明のまた別の実施例に係る探知部を図８と同じ部分を切断して示した断面図である。
【図１１】本発明のまた別の実施例に係る探知部を図８と同じ部分を切断して示した断面図である。
【図１２】本発明の別の実施例に係る携帯電話ケースの探知部を下げた場合の概略的な前面斜視図である。
【図１３】図１２の携帯電話ケースの探知部を上げた場合の概略的な前面斜視図である。
【図１４】本発明のまた別の実施例に係る携帯電話ケースの探知部を上げた場合の概略的な前面斜視図である。
【図１５】本発明のまた別の実施例に係る携帯電話ケースの探知部を下げた場合の概略的な前面斜視図である。
【図１６】図１５の携帯電話ケースの探知部を上げた場合の概略的な前面斜視図である。
【図１７】本発明のまた別の実施例に係る携帯電話ケースの探知部を下げた場合の概略的な前面斜視図である。
【図１８】図１７の携帯電話ケースの探知部を上げた場合の概略的な前面斜視図である。
【図１９】本発明のまた別の実施例に係る携帯電話ケースの探知部が中間地点に位置する場合の概略的な前面斜視図である。
【図２０】本発明のまた別の実施例に係る携帯電話ケースの探知部を下げた場合の概略的な前面斜視図である。
【図２１】図２０の携帯電話ケースの探知部をより詳細に示した斜視図である。
【図２２】図２１の探知部をＣ−Ｃ’に沿って切断した断面図である。
【図２３】本発明のまた別の実施例に係る探知部の斜視図である。
【図２４】図２３の探知部をＤ−Ｄ’に沿って切断した断面図である。
【図２５】本発明の実施例に係る実際の携帯電話ケースの写真である。
【図２６】本発明の実施例に係る実際の携帯電話ケースの写真である。
【図２７】本発明の実施例に係る実際の携帯電話ケースの写真である。
【図２８】本発明の実施例に係る実際の携帯電話ケースの写真である。
【図２９】実験例１に係る本発明の携帯電話ケースを携帯電話に装着し、隠しカメラを撮影した写真である。
【図３０】実験例２に係り、本発明の反射防止部の構成がない場合の携帯電話ケースを携帯電話に装着して周辺を撮影した写真である。
【図３１】実験例２に係り、本発明の反射防止部の構成がある場合の携帯電話ケースを携帯電話に装着して周辺を撮影した写真である。
【発明を実施するための形態】
【００４０】
本発明の利点及び特徴、並びにそれらを達成する方法は、添付される図と共に詳細に後述されている実施例を参照すると明確になる。しかし、本発明は、以下で開示される実施例に限定されるのではなく、互いに異なる多様な形態で具現され、単に本実施例は本発明の開示が完全であるようにし、本発明が属する技術分野で通常の知識を有する者に発明の範疇を完全に知らせるために提供され、本発明は請求項の範疇によって定義されるだけである。明細書全体にわたって同一の参照符号は同一の構成要素を称する。図で層及び領域の大きさ及び相対的な大きさは、説明の明瞭性のために誇張されていることがある。
【００４１】
空間的に相対的な用語である「下（ｂｅｌｏｗ）」、「下（ｂｅｎｅａｔｈ）」、「下部（ｌｏｗｅｒ）」、「下部面」、「下側」、「上（ａｂｏｖｅ）」、「上部（ｕｐｐｅｒ）」、「上部面」、「上側」等は、一つの素子または構成要素と別の素子または構成要素との相関関係を容易に記述するために使用されることができる。
【００４２】
第１、第２等が多様な構成要素を叙述するために使用されるが、これらの構成要素は、これらの用語によって制限されないことは勿論である。これらの用語は、単に一つの構成要素を別の構成要素と区別するために使用するものである。従って、以下で言及される第１構成要素は、本発明の技術的思想内で第２構成要素であってもよいことは勿論である。
【００４３】
本発明の色々な実施例に対する説明のために示された図は、説明の便宜のために各構成、且つ各構成間の相対的な大きさや高さ、長さの比率等が多少誇張されていることがある。
【００４４】
以下、図を参照し、本発明の実施例について説明する。
【００４５】
図１には、本発明の一実施例に係る携帯電話ケースの前面斜視図が示されており、図２には、本図１の携帯電話ケースの後面斜視図が示されており、図３には、前記図１及び２の携帯電話ケースの正面図が示されている。図１乃至３は、後述する探知部がすべて上げられ、開口部をカバーする場合の図である。図４には、図１の携帯電話ケースの探知部を下げた場合の前面斜視図が示されている。また、図５には、図１の携帯電話ケースの一実施例に係る探知部をより詳細に示した斜視図が示されている。
【００４６】
以下では、図１乃至５を参照し、本発明の一実施例に係る隠しカメラ探知機能を有する携帯電話ケースについて説明することとする。
【００４７】
図１乃至５を参照すると、本発明の一実施例に係る隠しカメラ探知機能を有する携帯電話ケースは、携帯電話の表示部を除いた部分を囲むように形成され、携帯電話のＬＥＤ光源及びカメラと対応する位置に開口部１１０が形成されたケース本体１００と、６００ｎｍ乃至７００ｎｍの範囲の波長帯域の赤色波長の光を通過させる赤色フィルタ１０を含む探知部２００と、一端が前記探知部２００に結合され、他端が前記ケース本体１００の片面に結合され、前記探知部２００が上下又は左右方向に移動可能なようにする作動部３０とを含む。また、前記作動部３０により、前記探知部２００は、前記開口部１１０を覆うか開放することを特徴とする。
【００４８】
ケース本体１００は、携帯電話を破損から保護するための形態で構成されることができる。また、最近、携帯電話に一般的に存在するカメラを通じて外部の光が入射され、外部の物を認識することができるように開口部１１０が形成され、ＬＥＤ光源から放出される光が外部に放出されることができるように開口部１１０が形成される。ケース本体１００は、外部衝撃等から携帯電話の破損を防止するために、例えば、ポリウレタン、ポリカーボネート（ＰＣ）のような合成樹脂の材質で形成されることができ、ケース本体１００の素材に対しては、当該技術分野に広く知られているので、具体的な説明は省略することとする。
【００４９】
より具体的に、前記ケース本体１００は、前記携帯電話の表示部の裏面をカバーする片面と、前記片面から延びて、前記携帯電話の表示部の周辺部を包み、前記携帯電話に結合が可能なようにする枠部と、前記片面で前記携帯電話のＬＥＤ光源及びカメラと対応する位置に形成され、前記ＬＥＤ光源及びカメラの断面を全てカバーする開口部１１０と、前記作動部３０の一部が外部に突出しながら、上下又は左右に移動可能なように開口されて形成されたガイドライン１２０とを含み、前記作動部３０の一部を前記ガイドライン１２０の上下又は左右方向に移動する場合、前記探知部２００も上下又は左右方向に移動し、前記開口部１１０を覆うか、又は覆わないことを特徴とすることができる。一方、非制限的に前記ケース本体１００とこれらに結合された別の構成とユーザの携帯電話の間に耐久性の向上のために、前記ケース本体と結合された別途のカバーを備えることができる。このような場合、前記カバーに別に携帯電話の表示部の周辺部を包み、前記携帯電話に結合が可能なようにする枠部が備えられ、カバーに結合されるケース本体に別の構成が備えられることができる。
【００５０】
前記枠部は、ケース本体１００の片面から延びて、携帯電話のオンオフ（ｏｎ／ｏｆｆ）の作動ボタン等が位置する側面と一部前面の表示部の周辺を覆いながら、携帯電話に結合されるようにすることができる。また、ケース本体１００の片面は携帯電話の表示部の反対面、即ち、裏面をカバーすることができる（覆うことができる）。即ち、ケース本体１００の片面というのは、携帯電話のカメラ、ＬＥＤ光源等が存在し、主表示部がない部分と対向する面といえ、説明の便宜のために、ケース本体１００の前記片面と反対される面を他面という。
【００５１】
一方、前記ケース本体１００には開口部１１０が形成される。前記開口部１１０は、ケース本体１００の片面と他面をいずれも貫通するように開口される。前記開口部１１０が形成する水平断面は、垂直線上で携帯電話のＬＥＤ光源及びカメラの断面を全てカバーすることができる。これによって、携帯電話ケースを携帯電話に装着しながら、前記本発明の探知部２００を用いて開口部１１０を覆わない場合、携帯電話のＬＥＤ光源及びカメラの断面は全て外部に露出され、外部から視認できる。もちろん、探知部２００を構成する素材が透明な素材で構成されるか、赤色近傍の波長の光を通過するようにするので、探知部２００を上げてＬＥＤ光源及びカメラを覆う場合にも外部から視認可能である。
【００５２】
一方、携帯電話のＬＥＤ光源というのは、一般にスマートフォン等で外部から視認可能なように形成された一種のフラッシュのようなものであってもよい。これは、携帯電話のカメラと共に外部から視認され、写真撮影等に光を補充するためにフラッシュの用途で使用されるか、別にＬＥＤ光源のみ駆動してフラッシュ機能（周辺を明るくするための機能）を使用するためのものであってもよい。即ち、本発明で説明する携帯電話のＬＥＤ光源というのは、外部から視認され、カメラと隣接した位置に形成されたものであると定義できる。携帯電話の場合、表示部を駆動するために携帯電話の内部に、即ち、外部から視認されない位置にＬＥＤ光源が別に存在することが一般的であるので、本発明で説明するＬＥＤ光源は、携帯電話の内部で表示部の駆動のためのＬＥＤ光源と区分され、外部から視認され、外部から視認されるカメラ素子と隣接した位置に形成されると理解すればよい。
【００５３】
ケース本体１００は、ガイドライン１２０を含み、ガイドライン１２０は、前記開口部１１０のようにケース本体１００の片面と他面を全て貫通するように開口されている。但し、ガイドライン１２０は、作動部３０を上下又は左右に移動するためのもので、相対的に前記開口部１１０に比べて特定の移動方向（上下又は左右）に長く伸びた形態であってもよい。
【００５４】
前記作動部３０は、一端が前記探知部２００に結合され、他端が前記ケース本体１００の他面に突出し、ユーザが外部で操作が可能なようにすることができる。また、前記作動部３０は、前記ガイドライン１２０を通じて上下又は左右方向に移動が可能であり、ユーザが外部で操作する場合、前記ガイドライン１２０の移動経路を通じて、上下又は左右方向に移動できる。一方、前記では上下方向又は左右方向を定義しているが、これは、直線方向又は垂直、水平方向のみを意味するのではなく、曲線又は対角線方向等、必要に応じて多様な方向に変更し得る。
【００５５】
前記作動部３０の移動を通じて、一端で連結された前記探知部２００は、携帯電話とケース本体１００の片面との間で移動が可能であり、これを通じて、前記探知部２００は携帯電話のＬＥＤ光源とカメラを覆ってもよく、覆わなくてもよい。即ち、どの位置に存在するかに応じて、ＬＥＤ光源とカメラを覆ってもよく、覆わなくてもよい。従って、以下でより具体的に説明する赤色フィルタによってユーザが使用を希望する場合、ユーザが作動部３０をケース本体１００の外部で操作して前記開口部１１０を覆い、これによって携帯電話のカメラとＬＥＤ光源をカバーすることによって、ユーザの周辺の隠しカメラを感知することができ、ユーザが隠しカメラを感知する必要がない場合には、探知部２００をケース本体と携帯電話との間の内側に隠して、携帯電話のカメラやＬＥＤ光源の本来の用途（写真撮影、フラッシュ機能等）で使用しながらも、探知部２００が破損されることを防止することができる。
【００５６】
探知部２００は、前記作動部３０と連結され、ユーザが作動部３０を移動させる場合、探知部２００の水平断面が前記携帯電話のＬＥＤ光源とカメラをカバーすることができる。前記探知部２００の赤色フィルタは、６００ｎｍ乃至７００ｎｍの範囲の波長帯域の赤色波長の光を通過させることができる。例えば、前記赤色フィルタは、６００ｎｍ乃至７００ｎｍの範囲の波長帯域の赤色波長の光を、例えば、５０％乃至６０％、６０％乃至７０％、７０％乃至８０％、８０％乃至９０％、９０％乃至９９％通過させることができる。言い換えると、前記赤色フィルタは、一般的な光のスペクトルのうち、赤色波長帯域の光を相対的にさらに多く放出するようにし、別の波長帯域の光は遮断したり吸収するようにすることができる。また、前記赤色フィルタは、前記携帯電話の前記ＬＥＤ光源から発散された光のうち、相対的に異なる波長帯域の光に比べて、６００ｎｍ乃至７００ｎｍの範囲の波長帯域の赤色波長の光をより多く透過することができる。赤色フィルタは非制限的な例として、赤色の染料が分散及び含まれた合成樹脂等であるか、赤色のセロハン紙等であってもよいが、特にこれに限定しない。
【００５７】
前記探知部２００の赤色フィルタによって殆どが赤色波長の光を中心に通過させて、このように通過された赤色波長の光を隠しカメラに照射する場合、隠しカメラのレンズコアが赤色波長の光をを反射し、これを携帯電話のカメラで認識することによって、隠しカメラを探知することができる。従って、前記で説明したように、ユーザが特定空間で隠しカメラが存在するかの疑問が生じる場合、作動部３０を通じて探知部２００を携帯電話のカメラ及びＬＥＤ光源と垂直線上で互いに対応する部分に位置するようにし、カメラとＬＥＤ光源をいずれも作動すると、隠しカメラのレンズコアから反射された光を認識し、カメラで認識して携帯電話の表示部を通じてユーザがこれを知ることができる。
【００５８】
従って、本発明に係る携帯電話ケースの場合には、別途の体積が大きな装置を装着したり、別途の光源が必要な装置の装着や、所持しなくても、携帯電話ケースの所持だけで、普段は携帯電話の基本用途に合わせて使用し、必要な場合にのみ探知部２００の赤色フィルタ及び携帯電話のカメラ、ＬＥＤ光源を用いて隠しカメラを探知することができる。即ち、従来の携帯電話の基本的な機能と携帯電話を保護する携帯電話ケースの基本的な機能を使用しながらも移動可能な（或いは覆ったり覆わなかったりする作動が可能な）探知部の赤色フィルタを用いて隠しカメラを感知することによって、その性能を極大化することができる。
【００５９】
一方、図６には、図１の携帯電話ケースの別の実施例に係る探知部をより詳細に示した斜視図が示されている。また、図７には、図６の探知部をＡ−Ａ’に沿って切断した断面図が示されており、図８には、図６の探知部をＢ−Ｂ’に沿って切断した断面図が示されている。
【００６０】
図６乃至８、及び前記図１乃至４を再度参照し、本発明の別の実施例に係る探知部２００についてより具体的に説明すると、探知部２００は赤色フィルタ１０と赤色フィルタ１０の片面に結合され、０．５ｍｍ乃至０．８ｍｍの範囲の厚さを有し、透明な素材で形成された支持部２０を含むことができる。即ち、図５の場合、探知部２００自体が赤色波長の光を放出するようにする素材で形成されることができ、探知部２００が単層で構成されながら、赤色フィルタの機能を行うが、図６乃至８の場合は、赤色フィルタ１０が支持部２０に結合されている。
【００６１】
赤色フィルタ１０は、薄い材質で形成されることができるが、このような場合、耐久性が弱まることがある。従って、０．５ｍｍ乃至０．８ｍｍの範囲の透明な素材で形成された支持部２０を赤色フィルタ１０に結合することによって、耐久性を向上させ、赤色フィルタ１０が外部の水分や埃等の他の要因によって損傷されることを防止することができる。一方、前記支持部２０の厚さ範囲で携帯電話ケースの厚さの上昇を防止しながらも、赤色フィルタ１０の破損をより効果的に防止することができる。前記支持部２０は、ＰＶＣ素材、ＰＣ素材、アクリル素材等の素材で形成され得るが、これに特に限定されない。
【００６２】
一方、別に示されていないが、赤色フィルタ１０と支持部２０は互いに面と面間に結合されており、図面上で表現されてないが、必要に応じてこれらを接合するために透明な素材の接着剤を介在した状態で接着されていることがある。前記接着剤は、非制限的な例として、透明接着レジン（ＯＣＲ：Ｏｐｔｉｃａｌ  Ｃｌｅａｒ  Ｒｅｓｉｎ）等を含んでもよい。
【００６３】
前記で既に説明したように、赤色フィルタ１０は携帯電話のＬＥＤ光源から発散された光のうち、相対的に６００ｎｍ乃至７００ｎｍの範囲の波長帯域の赤色波長の光をより多く透過することを特徴とする。ＬＥＤ光源は、色々な波長帯の光を発散し、前記赤色フィルタ１０を通過した光は、６００ｎｍ乃至７００ｎｍの範囲の波長帯域の赤色波長の光を中心に通過させることによって、結果、赤色波長帯の光が透明な素材で形成された支持部２０を通過し、ユーザの携帯電話ケースの外部に放出することになる。以降、隠しカメラのレンズコアから反射された光をカメラで認識し、これを携帯電話の表示部に表示することによって、ユーザが隠しカメラの存在及び位置を認知することができる。
【００６４】
一方、図９及び１０には、本発明のまた別の実施例に係り、探知部を図８と同じ方式で切断して示した断面図が示されている。図９は、探知部２０１で赤色フィルタが前記図５のように一体に形成された場合であり、図１０は、図６のように、探知部２０２が赤色フィルタ１０と支持部２０とが結合された構造である。図９及び１０を参照すると、本発明のまた別の実施例に係る探知部２０１、２０２は、携帯電話と隣接する位置に内側に陥没して形成された反射防止部２５０をさらに含み、前記反射防止部２５０は、携帯電話のＬＥＤ光源と対応する位置に形成されることを特徴とすることができる。
【００６５】
反射防止部２５０は、携帯電話のＬＥＤ光源から出た光が直進して赤色フィルタを介して外部に放出されずに、反射して携帯電話のカメラに直ぐに進入する現象を防止することができる。即ち、携帯電話のＬＥＤ光源から出た光は、隣接する赤色フィルタによって反射されて、望しくない光が携帯電話のカメラへ伝達されることができ、これによって撮影された映像が表示部でぼやけて見えたり、グレア現象等が発生したり、表示部の画像に歪みが発生する問題が生じ得る。しかし、本発明のように、反射防止部２５０を形成することによって、全反射によって携帯電話のＬＥＤ光源から発散された光のほとんどが外部に向けることができる。これによって、歪んだ映像が携帯電話の表示部で現れる現象を効果的に防止することができる。
【００６６】
このため、例えば、前記反射防止部２５０は垂直線上で前記ＬＥＤ光源の水平断面を全てカバーすることを特徴とすることができる。また、前記反射防止部２５０は、前記携帯電話の前記カメラとは垂直線上で水平断面が互いに重ならないことを特徴とすることができる。即ち、前記反射防止部２５０は、携帯電話のＬＥＤ光源と垂直線上で水平断面が重なるようにし、カメラ部分とは垂直線上で水平断面が重ならないようにして、携帯電話のＬＥＤ光源から発散された光が反射による映像の歪みが発生することを防止しながらも、外部から携帯電話のカメラへ入射される光に対しては影響を与えず、より精密な映像がカメラで撮影され、携帯電話の表示部に表示されるようにすることができる。
【００６７】
一方、反射防止部２５０は、図１０のように、赤色フィルタ１２が別に存在する場合、赤色フィルタ１２の一部のみ陥没した構造であってもよい。言い換えると、前記赤色フィルタ１２から支持部２０を向く方向に陥没部２５０が形成され、陥没部２５０は赤色フィルタ１２から支持部２０を向く方向に陥没しながら、支持部２０と接しない部分まで陥没し得る。赤色フィルタ１２に形成される陥没部２５０が支持部２０まで接する場合、ＬＥＤ光源から発散された光を赤色波長の光でフィルタリングする赤色フィルタの機能を行うことができないことがあるためである。また、前記反射防止部は、非制限的な例として、ＣＮＣ加工によって形成されてもよい。
【００６８】
図１１には、本発明のまた別の実施例に係り、探知部を図８と同じ方式で切断して示した断面図が示されている。図１１を参照すると、前記反射防止部２５０は、陥没した内側壁に光を吸収する素材で形成された吸光部５０をさらに含むことを特徴とすることができる。前記吸光部５０は、携帯電話のＬＥＤ光源から発散された光が外部に出ておらず、内部で反射によって携帯電話のカメラに伝達されることをより効果的に防止することができる。即ち、携帯電話のＬＥＤ光源と隣接する部分や、反射防止部２５０の陥没した内側壁の反射を通じて携帯電話のカメラへ進む光が多くなることがあるが、光を吸収する吸光素材を反射防止部２５０の陥没した内側壁に形成することによって、一種のバッファー作用をするようにすることができる。前記吸光部５０を構成する素材としては、光を吸収する材質からなるものであれば、特別にその素材を限定しない。また、図１１では、前記吸光部５０が赤色フィルタ１２と支持部２０とが結合された構造の探知部２００の赤色フィルタ１２内に形成されるものと示されているが、これに限定せず、探知部２００が単層で構成される場合にも、陥没した部分の内側壁に形成されることができる。
【００６９】
図１２には、本発明の別の実施例に係る携帯電話ケースの探知部を下げた場合の概略的な前面斜視図が示されており、図１３に図１２の携帯電話ケースの探知部を上げた場合の概略的な前面斜視図が示されている。
【００７０】
図１２及び１３を参照すると、本発明のまた別の実施例に係る携帯電話ケースで、前記ケース本体１００は、前記携帯電話が結合される片面に形成され、前記探知部の少なくとも一部を収容する第１収容部３００を含み、前記探知部２００の少なくとも一部は、前記第１収容部３００と前記ケース本体１００の片面との間に介在しながら収容されることを特徴とすることができる。
【００７１】
第１収容部３００を介して、前記探知部２００が内部の携帯電話と接触等を通じて破損されることを防止することができ、他の部材との接触又は押え等によって上下又は左右に移動が妨害されることを防止することができる。即ち、前記第１収容部３００は、探知部２００が破損されず、移動がより容易であるようにする安全キャップのような役割をすることができる。前記第１収容部３００は、断面が「コ」字状のように構成されることができ、ケース本体１００の片面に結合されている形態であってもよい。
【００７２】
一方、前記第１収容部３００は、前記開口部が形成された方向の反対方向の両末端の位置で前記ケース本体１００の片面が形成する水平面方向に開口されて形成された第１破損防止部３１０、３２０をさらに含むことを特徴とすることができる。即ち、第１破損防止部３１０、３２０は、図面上で下側方向に開けられた部分であり、これによって、探知部２００の破損を防止することができる。より具体的に、探知部２００の場合は、移動によって第１破損防止部３１０、３２０と末端部分とが接触することができ、強い力で接触する場合、末端部分が破損される恐れが多いが、このように第１破損防止部３１０、３２０を備えることによって、探知部２００の末端部分が破損されることを防止することができる。言い換えると、第１収容部３００によって探知部２００の面方向への全体的な破損を防止すれば、第１破損防止部３１０、３２０によって、より破損しやすい探知部２００の末端部分の破損を防止し、耐久性をさらに極大化できる。
【００７３】
また、第１破損防止部３１０、３２０は、前記ケース本体１００の片面が形成する水平面方向に対して垂直な方向にも開口されたことを特徴とすることができる。即ち、探知部２００は垂直な方向にも移動し、第１収容部３００の一部と接触して破損される恐れがあるが、このように垂直な方向にも開口することで、探知部２００末端の破損を効果的に防止することができる。
【００７４】
図１４には、本発明のまた別の実施例に係る携帯電話ケースの探知部を上げた場合の概略的な前面斜視図が示されている。
【００７５】
図１４を参照すると、本発明のまた別の実施例に係る携帯電話ケースで、前記ケース本体１００の片面で内側に陥没して形成される第１凹部４１０、４２０をさらに含み、前記第１凹部４１０、４２０は、前記探知部２００が前記第１収容部３００に収容されるとき、前記探知部２００の少なくとも一部と垂直線上で重なることを特徴とすることができる。これによって、探知部２００とケース本体１００の片面との間の接触を減らして、破損をより効果的に防止することができる。一方、図上では、一つの位置に一つの第１凹部が形成されることを示されているが、これに限定せず、必要に応じて隣接した位置に複数個の第１凹部が形成され得る。
【００７６】
図１５には、本発明のまた別の実施例に係る携帯電話ケースの探知部を下げた場合の概略的な前面斜視図が示されており、図１６には、図１５の携帯電話ケースの探知部を上げた場合の概略的な前面斜視図が示されている。
【００７７】
図１５及び１６を参照すると、本発明のまた別の実施例に係る携帯電話ケースで、前記ケース本体１００は、前記携帯電話が結合される片面に形成され、前記探知部２００の少なくとも一部を収容する第２収容部５００を含み、前記探知部２００の少なくとも一部は、前記第２収容部５００と前記ケース本体１００の片面との間に介在しながら収容されることを特徴とすることができる。また、前記探知部２００は、前記開口部１１０を覆う場合、前記第２収容部５００に少なくとも一部が収容されることを特徴とすることができる。
【００７８】
前記第２収容部５００は、前記で説明した第１収容部３００と同様に、探知部２００の破損を効果的に防止することができる。即ち、第２収容部５００を介して前記探知部２００が内部の携帯電話と接触等を通じて破損されることを防止することができ、他の部材との接触又は押え等によって、上下又は左右に移動が妨害されることを防止することができる。また、前記第２収容部５００内に前記探知部２００が挿入される場合、探知部２００がより堅固に固定されて、揺れることもまた防止することができる。言い換えると、前記第２収容部５００は、探知部２００が破損されず、移動がより容易であるようにする安全キャップのような役割をすることができる。前記第２収容部５００は、断面が「コ」字状のように構成されることができ、ケース本体１００の片面に結合されている形態であってもよい。
【００７９】
一方、前記第２収容部５００は、前記開口部が形成された方向の反対方向の両末端の位置で前記ケース本体１００の片面が形成する水平面方向に開口されて形成された第２破損防止部５１０、５２０をさらに含むことを特徴とすることができる。即ち、第２破損防止部５１０、５２０は、図上で上側方向に開けられた部分であり、これによって、隠しカメラを探知するために  探知部２００を上に上げた場合、探知部２００の破損をより効果的に防止することができる。より具体的に、探知部２００を隠しカメラの探知のために使用する場合は、移動によって第２破損防止部５１０、５２０に挿入され、第２破損防止部５１０、５２０と探知部２００の上側末端部分が接触することができ、強い力で接触する場合、末端部分が破損される恐れが多いが、このように第２破損防止部５１０、５２０を備えることによって、探知部２００の末端部分が破損されることを防止することができる。言い換えると、第２収容部５００によって探知部２００の面方向への全体的な破損を防止すれば、第２破損防止部５１０、５２０によって、より破損しやすい探知部２００の上側末端部分の破損を防止し、耐久性をさらに極大化できる。
【００８０】
また、第２破損防止部５１０、５２０は、前記ケース本体１００の片面が形成する水平面方向に対して垂直な方向にも開口されたことを特徴とすることができる。即ち、探知部２００は垂直な方向にも移動、或いは揺れて第２収容部５００の一部と接触して破損される恐れがあるが、このように垂直な方向にも開口することで、探知部２００末端の破損を効果的に防止することができる。
【００８１】
一方、別に示されていないが、前記図１４の第１凹部４１０、４２０のように、前記ケース本体の片面で内側に陥没して形成される第２凹部をさらに含むことができ、前記第２凹部は、前記探知部２００が前記第２収容部５００に収容されるとき、探知部２００の少なくとも一部と垂直線上で重なることを特徴とすることができ、これもまた、前記第１凹部と同様に、第２収容部５００の近傍で探知部２００とケース本体１００の片面との接触面積を減らし、破損防止の効果をより極大化できる。
【００８２】
図１７には、本発明のまた別の実施例に係る携帯電話ケースの探知部を下げた場合の概略的な前面斜視図が示されており、図１８には、図１７の携帯電話ケースの探知部を上げた場合の概略的な前面斜視図が示されている。
【００８３】
図１７及び１８を参照すると、本発明のまた別の実施例に係る携帯電話ケースで、前記第１収容部３００は、前記第１破損防止部３１０、３２０が形成する開口の一端から他端に延びて形成され、前記ケース本体１００の片面と接する第１支持ライン３６０、３７０をさらに含み、前記第１支持ライン３６０、３７０は、前記第１破損防止部３１０、３２０が形成されない前記第１収容部３００の高さに対してさらに低い高さを有し、前記探知部２００が前記第１収容部３００に収容されるとき、前記探知部２００の一部は前記第１支持ライン３６０、３７０の上側に位置することを特徴とすることができる。
【００８４】
第１支持ライン３６０、３７０は、第１破損防止部３１０、３２０が形成されない前記第１収容部３００の高さに対してさらに低い高さを有することによって、探知部の移動を妨害しないことがある。また、第１支持ライン３６０、３７０によって前記第１破損防止部３１０、３２０が形成された位置で全体的に第１収容部３００の強度を補強することができる。即ち、第１収容部３００が第１破損防止部３１０、３２０を含む場合、開放された空間によって第１収容部３００の強度が低下し得るが、第１支持ライン３６０、３７０を形成し、第１破損防止部３１０、３２０が形成する開放部の一部を両側で固定することによって、強度を補強することができる。
【００８５】
また、第２収容部５００は、前記第２破損防止部５１０、５２０が形成する開口の一端から他端に延びて形成され、前記ケース本体１００の片面と接する第２支持ライン５６０、５７０をさらに含み、前記第２支持ライン５６０、５７０は、前記第２破損防止部５１０、５２０が形成されない前記第２収容部５００の高さに対してさらに低い高さを有し、前記探知部２００が前記第２収容部５００に収容される時、探知部２００の一部は前記第２支持ライン５６０、５７０の上側に位置することを特徴とすることができる。
【００８６】
第２支持ライン５６０、５７０もまた、第２破損防止部５１０、５２０が形成されない前記第２収容部５００の高さに対してさらに低い高さを有することによって、探知部の移動を妨害しないことがある。また、第２支持ライン５６０、５７０によって、前記第２破損防止部５１０、５２０が形成された位置で全体的に第２収容部５００の強度を補強することができる。即ち、第２収容部５００が第２破損防止部５１０、５２０を含む場合、開放された空間によって第２収容部５００の強度が低下し得るが、第２支持ライン５６０、５７０を形成し、第２破損防止部５１０、５２０が形成する開放部の一部を両側で固定することによって、強度を補強することができる。
【００８７】
図１９には、本発明のまた別の実施例に係る携帯電話ケースの探知部が中間地点に位置する場合の概略的な前面斜視図が示されている。
【００８８】
図１９を参照すると、本発明のまた別の実施例に係る携帯電話ケースで、前記ケース本体１００の片面から突出して形成され、弾性部材で形成される少なくとも一つ以上の第１緩衝部６１０、６２０をさらに含み、前記第１緩衝部６１０、６２０は、前記探知部２００が前記第１収容部３００に収容されるとき、前記探知部２００の少なくとも一部と接触することを特徴とすることができる。
【００８９】
第１緩衝部６１０、６２０は、探知部２００が一定位置に到達すると、探知部２００との接触によって速度を落として、探知部が第１収容部３００の一部と接触して破損されることを防止することができる。また、ユーザの手に伝達される力の大きさが変わり、ユーザが前記第１緩衝部６１０、６２０に探知部２００が到達する場合、どの程度必要な位置まで下りたと認知するようにすることができ、探知部２００を移動させる作動部３０に力を少なく加えるようにすることで、過度な力による探知部２００及び別の構成の破損を防止することができる。
【００９０】
また、探知部２００を含む別の構成の破損以外にも、第１緩衝部６１０、６２０によって探知部が必要ではない時期に移動し、ケース本体１００の開口部１１０を覆って携帯電話本来の機能に支障を与えることを防止することができる。即ち、第１緩衝部６１０、６２０は、ユーザが作動部３０を介して探知部２００を下げる場合（隠しカメラ探知機能を行い、これを使用しないために下げる場合）、過度な力又は衝撃によって破損されることを防止するためのストッパー（ｓｔｏｐｐｅｒ）機能を行うことができ、ユーザが隠しカメラの探知が必要ではない状況で探知部２００を使用しないとき（即ち、探知部が下りている状態を維持する場合）、不本意に探知部が移動し、ケース本体１００の開口部１１０を覆うことを防止するストッパー（ｓｔｏｐｐｅｒ）機能を行うことができる。
【００９１】
一方、前記ケース本体１００の片面から突出して形成され、弾性部材で形成される少なくとも一つ以上の第２緩衝部７１０、７２０をさらに含み、前記第２緩衝部７１０、７２０は、前記探知部２００が前記第２収容部５００に収容されるとき、前記探知部２００の少なくとも一部と接触することを特徴とすることができる。これは、前記第１緩衝部６１０、６２０と同様に、ユーザが探知部２００を上げて隠しカメラを探知する場合、探知部２００が不本意に下りて、隠しカメラ探知機能を行うことができないことを防止し、探知部２００が上がって第２収容部５００に収容されるとき、ストッパー機能を行って、衝撃等によって探知部２００が破損されることを防止することができる。
【００９２】
前記第１緩衝部６１０、６２０及び第２緩衝部７１０、７２０の材質は弾性材質で形成されることができ、例えば、ゴム、シリコン等の材質で形成されることができるが、特別にいずれに限定するのではない。また、前記第１緩衝部６１０、６２０及び第２緩衝部７１０、７２０は、前記第１収容部３００及び／又は第２収容部５００がない場合にも存在させることができ、この場合、前記探知部２００が隠しカメラの探知のために使用されるために移動し、特定位置に到達したとき、前記探知部２００の少なくとも一部と接触するか、探知部２００が使用されないようにするために（即ち、本来の携帯電話の機能をそのまま使用するとき）特定位置に到達したとき、探知部２００の少なくとも一部と接触し、ストッパー機能を行うことができる。
【００９３】
図２０には、本発明のまた別の実施例に係る携帯電話ケースの探知部を下げた場合の概略的な前面斜視図が示されており、図２１には、図２０の携帯電話ケースの探知部をより詳細に示した斜視図が示されている。また、図２２には、図２１の探知部をＣ−Ｃ’に沿って切断した断面図が示されている。
【００９４】
図２０乃至２２を参照すると、本発明のまた別の実施例に係る携帯電話ケースで、前記作動部３０の一部及び前記探知部２００の一部と結合するカバー部４０をさらに含み、前記カバー部４０は、前記探知部２００が前記開口部１１０を覆う場合、前記ガイドライン１２０を全て覆うことを特徴とすることができる。前記探知部２００が隠しカメラの探知のために上に上げられた場合、前記ガイドラインに外部の水分や埃等が流入され得るが、前記カバー部４０が探知部２００が上げられた状況で前記外部の水分や埃等が流入され得る一種の通路であるガイドライン１２０をカバーして外部と断絶することによって、携帯電話ケースの内部の汚染等を防止することができる。特に、前記で説明したように、ケース本体１００と携帯電話との間に別途のカバー部材が存在する場合、前記ガイドライン１２０を介してカバー部材とケース本体１００との間の空間に埃や水分が流入されて溜まることがあるが、前記カバー部４０によってこのような汚染現象を効果的に防止することができる。
【００９５】
一方、カバー部４０は探知部の一部に結合されることができるが、結合以外にも、探知部の一部が延びて形成されたものであってもよく、好ましくは、前記ケース本体１００の片面と接することができる。カバー部４０がケース本体１００の片面と接することによって、外部と携帯電話ケースの内部との空間をより精密に密封することができる。
【００９６】
カバー部４０が存在する場合、ケース本体１００の片面から突出して形成されるストッパー８００をさらに含むことができ、前記ストッパー８００は、前記探知部２００が前記第１収容部３０１に収容されるとき、前記カバー部４０と接触によって前記探知部の移動を中断することを特徴とすることができる。即ち、探知部２００が使用しないように下げる場合、カバー部４０の末端でストッパー８００がこれ以上下りないように探知部２００又はこれを作動する作動部３０の移動を防止する機能を行うことができる。
【００９７】
また、カバー部４０が存在する場合、前記第１収容部３０１は開口され、前記カバー部４０が貫通するようにする貫通部（図示せず）を含むことができる。前記貫通部によってカバー部４０と結合された探知部２００が共に移動することが容易であるようにすると共に、第１収容部３０１によって探知部２００の破損を防止することができる。
【００９８】
図２３には、本発明のまた別の実施例に係る探知部の斜視図が示されており、図２４には、図２３の探知部をＤ−Ｄ’に沿って切断した断面図が示されている。
【００９９】
図２３及び２４を参照すると、本発明のまた別の実施例に係る携帯電話ケースで、前記探知部２００は、前記赤色フィルタ１０と前記支持部２０を互いに対向する両末端で結束する締結部７０をさらに含むことを特徴とすることができる。前記締結部７０により、赤色フィルタ１０と支持部２０が互いに分離される現象を非常に効果的に防止することができる。即ち、探知部２００を長く使用すると、上下に又は左右に移動回数が増加することになると、徐々に耐久性が弱まるか、或いは他の部材間の接触等の要因によって、赤色フィルタ１０と支持部２０が互いに分離される現象が発生し得るが、締結部７０によって赤色フィルタ１０と支持部２０を互いに対向する両末端で結束することによって、このような分離現象を防止することができ、耐久性を向上させることができる。
【０１００】
実施例
【０１０１】
図２５乃至２８を参照すると、本発明の一実施例に係る携帯電話ケースの色々な方向における写真が示されている。本発明の実施例に係って製造された携帯電話ケースを装着し、下記実験例１及び実験例２を行った。
【０１０２】
実験例１
【０１０３】
本発明の一実施例に係る携帯電話ケースを携帯電話に装着した後、隠しカメラを撮影し、図２９にはその結果物の写真が示されている。図２９を参照すると、本発明に係る携帯電話ケースによって隠しカメラの感知が確実になるということを確認することができる。
【０１０４】
実験例２
【０１０５】
本発明の反射防止部の構成がない場合の携帯電話ケースを携帯電話に装着して周辺を撮影し、図３０を参照すると、その撮影した結果物の写真が示されている。また、反射防止部の構成を備えた携帯電話ケースを携帯電話に装着して周辺を撮影し、図３１を参照すると、その撮影した結果物の写真が示されている。
【０１０６】
図３０の場合、反射防止部の構成がなく、イラジエーション現象が発生し、下方部分がぼやけて撮影されることを確認することができ、図３１の場合、反射防止部の構成によって、図３０のようなイラジエーション現象を確実に改善したということを確認することができる。本発明の反射防止部の構成は、単純なＣＮＣ加工等の簡単な工程で陥没した部分を形成することによって具現し、簡単に隠しカメラの探知における映像を撮影するとき、イラジエーション現象を改善することができる。
【０１０７】
以上添付された図を参照し、本発明の実施例を説明したが、本発明は、前記実施例に限定されるものではなく、互いに異なる多様な形態で製造されることができ、本発明が属する技術分野で通常の知識を有する者は、本発明の技術的思想や必須的な特徴を変更せずに他の具体的な形態で実施されることができるということを理解すべきである。従って、以上で記述した実施例は、全ての面で例示的なものであり、限定的ではないものと理解すべきである。
【符号の説明】
【０１０８】
１０、１２  赤色フィルタ
２０  支持部
３０  作動部
４０  カバー部
５０  吸光部
７０  締結部
１００  ケース本体
１１０  開口部
１２０  ガイドライン
２００、２０１、２０２、２０３  探知部
２５０  反射防止部
３００、３０１  第１収容部
３１０、３２０  第１破損防止部
３６０、３７０  第１支持ライン
４１０、４２０  第１凹部
５００  第２収容部
５１０、５２０  第２破損防止部
５６０、５７０  第２支持ライン
６１０、６２０  第１緩衝部
７１０、７２０  第２緩衝部
８００  ストッパー
【図１】
2020081861.tif 000003
【図２】
2020081861.tif 000004
【図３】
2020081861.tif 000005
【図４】
2020081861.tif 000006
【図５】
2020081861.tif 000007
【図６】
2020081861.tif 000008
【図７】
2020081861.tif 000009
【図８】
2020081861.tif 000010
【図９】
2020081861.tif 000011
【図１０】
2020081861.tif 000012
【図１１】
2020081861.tif 000013
【図１２】
2020081861.tif 000014
【図１３】
2020081861.tif 000015
【図１４】
2020081861.tif 000016
【図１５】
2020081861.tif 000017
【図１６】
2020081861.tif 000018
【図１７】
2020081861.tif 000019
【図１８】
2020081861.tif 000020
【図１９】
2020081861.tif 000021
【図２０】
2020081861.tif 000022
【図２１】
2020081861.tif 000023
【図２２】
2020081861.tif 000024
【図２３】
2020081861.tif 000025
【図２４】
2020081861.tif 000026
【図２５】
2020081861.tif 000027
【図２６】
2020081861.tif 000028
【図２７】
2020081861.tif 000029
【図２８】
2020081861.tif 000030
【図２９】
2020081861.tif 000031
【図３０】
2020081861.tif 000032
【図３１】
2020081861.tif 000033